(57)【要約】【課題】  表示データの用途ごとに画質を最適化できるようにする。【解決手段】  表示制御装置（８）は、パーソナルコンピュータ（１）から送られてくる表示対象ウィンドウの画像データと該ウィンドウの用途属性とを取り込み、その用途属性に対応した画質補正データを、あらかじめ画質補正データテーブル（１８）に保持されている画質補正データの中から取り出し、その画質補正データを用いて表示対象ウィンドウの画像データを補正してスクリーン（１０）に表示する。表示対象ウィンドウの用途属性ごとに画質を最適化した画像を表示することができる。【選択図】  図４
2007041109.tif 000002
【特許請求の範囲】
【請求項１】
表示対象ウィンドウの画像データと該ウィンドウの用途属性とを取り込む取り込み手段と、
前記用途属性ごとの画質補正データを保持する保持手段と、
前記取り込み手段によって取り込まれた用途属性に対応した画質補正データを前記保持手段から取り出す取り出し手段と、
前記取り込み手段によって取り込まれた表示対象ウィンドウの画像データを、前記取り出し手段によって取り出された画質補正データを用いて補正する補正手段と、
該補正手段によって画質補正が行われた画像データを表示する表示手段と
を備えたことを特徴とする表示制御装置。
【請求項２】
前記表示対象ウィンドウは、パーソナルコンピュータのディスプレイ上に表示されたウィンドウであり、前記用途属性は、該ディスプレイ上に表示されたウィンドウの用途種別を表す指標であり、且つ、前記取り込み手段は、該パーソナルコンピュータから送られてくる表示対象ウィンドウの画像データと該ウィンドウの用途属性とを取り込むことを特徴とする請求項１記載の表示制御装置。
【請求項３】
前記用途属性は、前記ウィンドウを呼び出したアプリケーションの名前またはそのアプリケーションを識別するための情報であることを特徴とする請求項２記載の表示制御装置。
【請求項４】
前記用途属性は、前記ウィンドウに表示するデータを納めたファイルの拡張子またはその拡張子を識別するための情報であることを特徴とする請求項２記載の表示制御装置。
【請求項５】
表示対象ウィンドウの画像データと該ウィンドウの用途属性とを取り込む取り込み工程と、
前記用途属性ごとの画質補正データを保持する保持工程と、
前記取り込み工程によって取り込まれた用途属性に対応した画質補正データを前記保持工程で保持されたデータの中から取り出す取り出し工程と、
前記取り込み工程によって取り込まれた表示対象ウィンドウの画像データを、前記取り出し工程によって取り出された画質補正データを用いて補正する補正工程と、
該補正工程によって画質補正が行われた画像データを表示する表示工程と
を含むことを特徴とする表示制御方法。
【請求項６】
前記表示対象ウィンドウは、パーソナルコンピュータのディスプレイ上に表示されたウィンドウであり、前記用途属性は、該ディスプレイ上に表示されたウィンドウの用途種別を表す指標であり、且つ、前記取り込み工程は、該パーソナルコンピュータから送られてくる表示対象ウィンドウの画像データと該ウィンドウの用途属性とを取り込むことを特徴とする請求項５記載の表示制御方法。
【発明の詳細な説明】
【技術分野】
【０００１】
本発明は、表示制御装置及び表示制御方法に関し、詳しくは、グラフィカルユーザインターフェース（ＧＵＩ）対応の汎用オペレーティングシステム（ＯＳ）を搭載したパーソナルコンピュータと組み合わせて使用される表示制御装置及び表示制御方法に関する。
【背景技術】
【０００２】
ＧＵＩとは、ユーザに対する情報の表示にグラフィックを多用し、大半の基礎的な操作をマウスなどのポインティングデバイスによって行うことができるユーザインターフェースのことをいう。現行ＯＳの多くは、ＧＵＩを利用するための基本的な仕組みを実装しており、アプリケーションプログラムの設計者は、それらの仕組みを適宜に使用しながら所望の機能を実現する。このため、当該ＯＳ上で動作する様々なアプリケーションプログラムの操作感を統一することができ、しかも、アプリケーションプログラムの開発効率を高めることができる。
【０００３】
多くのアプリケーションプログラムは、ユーザに対して情報を表示したり、ユーザからの入力を受け付けたりするためのインターフェースとして、ＯＳ提供の「ウィンドウ」と呼ばれるＧＵＩオブジェクトを利用する。このウィンドウは、上端に配置したタイトルバーの下にクライアントエリアと呼ばれるアプリケーション領域を備えており、このクライアントエリアに、ユーザに対して情報を表示したり、ユーザからの入力を受け付けたりするための様々なコントロールを自由にレイアウトすることができる。
【０００４】
たとえば、ワードプロセッサ等の文章作成用アプリケーションプログラムでは、クライアントエリアに文章表示や編集のためのコントロールを配置し、または、プレゼンテーション用のアプリケーションプログラムでは、クライアントエリアにプレゼンテーションデータの表示や編集のためのコントロールを配置し、あるいは、画像閲覧加工用のアプリケーションプログラムでは、クライアントエリアに画像表示や加工のためのコントロールを配置する。
【０００５】
一般的にＧＵＩ対応のＯＳは、マルチタスク処理が可能であり、複数のアプリケーションプログラムを同時に実行させることができる。たとえば、上記の三つのアプリケーションプログラムを同時に実行した場合には、パーソナルコンピュータのディスプレイ上に三つのウィンドウ、すなわち、文章作成用アプリケーションプログラムのウィンドウ、プレゼンテーション用アプリケーションプログラムのウィンドウ、及び、画像閲覧加工用アプリケーションプログラムのウィンドウが表示される。
【０００６】
かかる三つのウィンドウのうち、ユーザ操作の対象となっているウィンドウのことを「アクティブウィンドウ」という。どのウィンドウがアクティブになっているかはタイトルバーの色調で識別できる。通常、タイトルバーが濃いめの色調になっているウィンドウが「アクティブウィンドウ」である。また、複数のウィンドウの全部または一部が重なっているときには、特殊な場合を除き、最前面に位置しているウィンドウが「アクティブウィンドウ」である。
【０００７】
さらに、ウィンドウサイズの変更が許可されているときには、アクティブウィンドウの縦横のサイズを個別に若しくは同時に変更したり、最小化したり最大化したりできるようになっており、また、ウィンドウの表示位置の変更が許可されているときには、パソコンディスプレイ上のアクティブウィンドウの表示位置を任意に移動できるようにもなっている。
【０００８】
ところで、このようなＧＵＩ対応のＯＳで動作するパーソナルコンピュータの表示画面を、たとえば、プロジェクタなどの外部表示装置に出力して多人数で見るという使い方をすることがある。この場合、パーソナルコンピュータのディスプレイと同じ画面を外部表示装置に出力すると、表示対象のアクティブウィンドウと一緒に、デスクトップ画面や表示操作用のメニュー画面なども表示されてしまうので見栄えが悪い。このようなとき、通常は、アクティブウィンドウを「最大化」（パーソナルコンピュータのディスプレイ画面一杯に広げて表示すること）して対処する。最大化することにより、デスクトップ画面や表示操作用のメニュー画面などがアクティブウィンドウの下に隠れて見えなくなるからである。
【０００９】
しかしながら、一般的にプレゼンテーション等の状況においては、プレゼンテーションの進行に伴って臨機応変的な操作が必要であり、このような場合、デスクトップ画面や表示操作用のメニュー画面などの使用は不可欠であるが、上記のように、アクティブウィンドウを最大化した場合には、デスクトップ画面や表示操作用のメニュー画面などがアクティブウィンドウの陰に隠れてしまうため、臨機応変的操作の妨げになる。
【００１０】
したがって、このような場合には、一時的にアクティブウィンドウの最大化を解除（最小化したり、元のサイズに戻したりする）しなければならず、その結果、一時的にせよ不要な画面がプロジェクタに映し出されるので、やはり、見栄えの悪さを改善できない。
【００１１】
そこで、特許文献１には、かかる点に着目して、対象ウィンドウの情報のみを表示できるようにした「表示制御装置及び表示制御プロラムを記録した記録媒体」（以下、従来技術という）が記載されている。この従来技術では、パーソナルコンピュータの液晶表示部に対し、後にモニタ表示させたい複数のファイルデータをウィンドウとして呼び出し表示させた状態で、いずれか一つのウィンドウデータをモニタ出力すべきアクティブウィンドウとしてポインタで選択すると、この選択されたウィンドウデータを、あらかじめ入力されている外部モニタの表示画面サイズに合わせて拡大処理し、同外部モニタの表示画面サイズに合わせて確保された外部出力用画像データの記憶領域である仮想外部記憶装置エリアに書き込み、ビデオ信号に変換して外部モニタに出力する、という仕組みになっている。
【００１２】
これによると、パーソナルコンピュータの液晶表示部に複数のウィンドウやその他のデータが表示されていたとしても、モニタ側には、必要なウィンドウのみが出力されるので、余計な画面がモニタに映し出されず、見栄えの悪さを改善できるとされている。
【００１３】
【特許文献１】特開２０００−３３９１３０号公報
【発明の開示】
【発明が解決しようとする課題】
【００１４】
しかしながら、上記の従来技術にあっては、余計な画面がモニタに映し出されず、見栄えの悪さを改善できる点で有益であるものの、表示対象ウィンドウの用途（たとえば、ワードプロセッサ用、プレゼンテーション用、画像閲覧用など）についてまったく考慮されていないため、用途ごとの表示画質を最適化できないという問題点がある。
【００１５】
たとえば、ワードプロセッサなどのように文字主体の表示データの場合は高輝度で強めのコントラストにした方が見やすく、一方、プレゼンテーションや画像閲覧ソフトのように画像主体の表示データの場合には色純度等を高めた方が見やすいものの、上記の従来技術にあっては、かかる用途にかかわらず一律の表示画質とせざるを得ないため、文字主体の表示データを重視した場合には画像主体の表示データの画質が劣り、その逆に、画像主体の表示データを重視した場合には文字主体の表示データの画質が劣るという欠点がある。
【００１６】
そこで、本発明は、表示データの用途ごとに画質を最適化できるようにした表示制御装置及び表示制御方法を提供することを目的とする。
【課題を解決するための手段】
【００１７】
請求項１記載の発明は、表示対象ウィンドウの画像データと該ウィンドウの用途属性とを取り込む取り込み手段と、前記用途属性ごとの画質補正データを保持する保持手段と、前記取り込み手段によって取り込まれた用途属性に対応した画質補正データを前記保持手段から取り出す取り出し手段と、前記取り込み手段によって取り込まれた表示対象ウィンドウの画像データを、前記取り出し手段によって取り出された画質補正データを用いて補正する補正手段と、該補正手段によって画質補正が行われた画像データを表示する表示手段とを備えたことを特徴とする表示制御装置である。
請求項２記載の発明は、前記表示対象ウィンドウは、パーソナルコンピュータのディスプレイ上に表示されたウィンドウであり、前記用途属性は、該ディスプレイ上に表示されたウィンドウの用途種別を表す指標であり、且つ、前記取り込み手段は、該パーソナルコンピュータから送られてくる表示対象ウィンドウの画像データと該ウィンドウの用途属性とを取り込むことを特徴とする請求項１記載の表示制御装置である。
請求項３記載の発明は、前記用途属性は、前記ウィンドウを呼び出したアプリケーションの名前またはそのアプリケーションを識別するための情報であることを特徴とする請求項２記載の表示制御装置である。
請求項４記載の発明は、前記用途属性は、前記ウィンドウに表示するデータを納めたファイルの拡張子またはその拡張子を識別するための情報であることを特徴とする請求項２記載の表示制御装置である。
請求項５記載の発明は、表示対象ウィンドウの画像データと該ウィンドウの用途属性とを取り込む取り込み工程と、前記用途属性ごとの画質補正データを保持する保持工程と、前記取り込み工程によって取り込まれた用途属性に対応した画質補正データを前記保持工程で保持されたデータの中から取り出す取り出し工程と、前記取り込み工程によって取り込まれた表示対象ウィンドウの画像データを、前記取り出し工程によって取り出された画質補正データを用いて補正する補正工程と、該補正工程によって画質補正が行われた画像データを表示する表示工程とを含むことを特徴とする表示制御方法である。
請求項６記載の発明は、前記表示対象ウィンドウは、パーソナルコンピュータのディスプレイ上に表示されたウィンドウであり、前記用途属性は、該ディスプレイ上に表示されたウィンドウの用途種別を表す指標であり、且つ、前記取り込み工程は、該パーソナルコンピュータから送られてくる表示対象ウィンドウの画像データと該ウィンドウの用途属性とを取り込むことを特徴とする請求項５記載の表示制御方法である。
【発明の効果】
【００１８】
本発明の表示制御装置または表示制御方法によれば、パーソナルコンピュータから送られてくる表示対象ウィンドウの画像データと該ウィンドウの用途属性とを取り込み、その用途属性に対応した画質補正データを、あらかじめ保持されている画質補正データの中から取り出し、その画質補正データを用いて表示対象ウィンドウの画像データを補正して表示するので、表示対象ウィンドウの用途属性ごとに画質を最適化した画像を表示することができる。
【発明を実施するための最良の形態】
【００１９】
以下、本発明の実施形態を、プロジェクタへの適用を例にして、図面を参照しながら説明する。なお、以下の説明における様々な細部の特定ないし実例および数値や文字列その他の記号の例示は、本発明の思想を明瞭にするための、あくまでも参考であって、それらのすべてまたは一部によって本発明の思想が限定されないことは明らかである。また、周知の手法、周知の手順、周知のアーキテクチャおよび周知の回路構成等（以下「周知事項」）についてはその細部にわたる説明を避けるが、これも説明を簡潔にするためであって、これら周知事項のすべてまたは一部を意図的に排除するものではない。かかる周知事項は本発明の出願時点で当業者の知り得るところであるので、以下の説明に当然含まれている。
【００２０】
図１は、本実施形態のシステム構成図である。この図において、パーソナルコンピュータ１は、キーボード２と、液晶ディスプレイ等の表示装置３とを同一の筐体４に納めるとともに、外付けのマウス５を接続したラップトップ型であるが、これに限定されない。マウス５の代わりにタッチパッド等の内蔵ポインティングデバイスを備えたものであってもよく、あるいは、デスクトップ型やその他の型式であっても構わない。
【００２１】
このパーソナルコンピュータ１には、ＧＵＩ対応の汎用ＯＳと、そのＯＳ上で動作する様々なアプリケーションプログラムが実装されている。図示の表示装置３には、ＯＳ提供の背景画面（以下「デスクトップ画面」という）の上に、便宜的に示す二つのウィンドウＷ１、Ｗ２が描かれている。これらのウィンドウＷ１、Ｗ２は、このパーソナルコンピュータ１で現在実行中の任意のアプリケーションプログラムのユーザインターフェース画面である。ただし、前面側のウィンドウＷ１はオンフォーカス中のアクティブウィンドウであり、背面側のウィンドウＷ２は非アクティブウィンドウである。
【００２２】
パーソナルコンピュータ１の外部モニタ出力端子６には、ケーブル７を介してプロジェクタ８が接続されている。このプロジェクタ８は、パーソナルコンピュータ１から出力される画像信号を取り込み、投影レンズ９を介してスクリーン１０に拡大投影する。
【００２３】
通常、プロジェクタ８によってスクリーン１０に拡大投影される画像と、パーソナルコンピュータ１の表示装置３の画像は同じである。すなわち、図示の例の場合でいえば、スクリーン１０の上にも、デスクトップ画面と二つのウィンドウＷ１、Ｗ２が表示されることになる。しかし、プレゼンテーションを行う場合などにおいては、表示対象となるウィンドウＷ１以外（デスクトップ画面や非アクティブのウィンドウＷ２など）は邪魔である。そこで、本実施形態においても、冒頭で説明した特許文献１の技術と同様に、表示対象のウィンドウＷ１だけをスクリーン１０の上に拡大投影する。
【００２４】
図２は、パーソナルコンピュータ１の表示装置３の画面構成図である。この図において、表示装置３の解像度（デスクトップ画面のサイズ）を、たとえば、１０２４×７６８（画素）のＸＧＡ（extended graphics array）とする。デスクトップ画面の原点座標は左上隅の（０，０）である。デスクトップ画面に表示されるウィンドウＷ１の位置（ＳＸ１，ＳＹ１）はデスクトップ画面の原点座標（０，０）からの相対位置であり、同様に、ウィンドウＷ２の位置（ＳＸ２，ＳＹ２）もデスクトップ画面の原点座標（０，０）からの相対位置である。また、ウィンドウＷ１のサイズは、ＣＹ１（縦）とＣＸ１（横）で示されており、同様に、ウィンドウＷ２のサイズも、ＣＹ２（縦）とＣＸ２（横）で示されている。
【００２５】
実線のウィンドウＷ１は、スクリーン１０に拡大投影するための表示対象ウィンドウ（アクティブウィンドウ）であり、破線のウィンドウＷ２は、表示対象ウィンドウ内の画像を入れ替えたりするための操作用ウィンドウ（非アクティブウィンドウ）である。
【００２６】
図３は、パーソナルコンピュータ１の簡略ブロック図である。この図において、パーソナルコンピュータ１は、先に説明した表示装置３、キーボード２、マウス５を備えると共に、ＣＰＵ１１、記憶装置１２、ＲＡＭ１３及び出力制御部１４などを備える。
【００２７】
ＣＰＵ１１は、キーボード２やマウス５からの操作入力に応答して、記憶装置１２にあらかじめ記憶されているＯＳやアプリケーションプログラム等の所望のソフトウェアリソースをＲＡＭ１３にロードして実行することにより、当該ソフトウェアリソースと、パーソナルコンピュータ１のハードウェアリソースとの有機的結合により所望の機能を実現する。
【００２８】
所望の機能の一つは、このパーソナルコンピュータ１に接続されたプロジェクタ８への画像出力機能である。この画像出力機能を実行しているとき、ＣＰＵ１１は、表示装置３のデスクトップ画面上のアクティブウィンドウ（ウィンドウＷ１）のサイズとそのウィンドウＷ１の画像をプロジェクタ８に出力する。
【００２９】
すなわち、図２の例において、表示画面のうち、座標（ＳＸ１，ＳＹ１）を原点とし、その原点から横方向にＣＸ１、縦方向にＣＹ１の画像を切り出して、その切り出し画像（すなわち、ウィンドウＷ１の画像）と、切り出しサイズ（ＣＸ１、ＣＹ１）とをプロジェクタ８に出力する。
【００３０】
プロジェクタ８は、後述するように、パーソナルコンピュータ１から送られてきたウィンドウＷ１の画像のサイズ（ＣＸ１、ＣＹ１）を、プロジェクタ８の投影画像サイズ一杯になるようにスケーリング処理し、そのスケーリング画像をスクリーン１０に投影する。なお、スケーリング処理は、ウィンドウＷ１の画像サイズに対してプロジェクタ８の投影画像サイズが大きい場合は拡大処理となり、その逆に、ウィンドウＷ１の画像サイズに対してプロジェクタ８の投影画像サイズが小さい場合は縮小処理となる。
【００３１】
このように、表示対象のウィンドウＷ１の画像と、その画像サイズをプロジェクタ８に出力し、プロジェクタ８でスケーリング処理してスクリーン１０に投影することにより、デスクトップ画面や非アクティブのウィンドウＷ２などの不要画面を非表示とすることができ、不要な画像を見せないようにして、たとえば、プレゼンテーションの効果を高めることができる。
【００３２】
かかるメリットは、冒頭で説明した従来技術（特許文献１）と同じであるが、本実施形態では、さらに、以下に説明する特徴を備えることにより、表示データの用途属性ごとに画質を最適化できるという利点が得られる。
【００３３】
すなわち、本実施形態のパーソナルコンピュータ１のＣＰＵ１１は、上記の画像出力機能を実行しているときに、表示対象のウィンドウＷ１の用途属性もプロジェクタ８に出力する。“用途属性”とは、個々のウィンドウの用途種別（文章編集用、画像閲覧用、プレゼンテーション用、等々）を表す指標であり、たとえば、ウィンドウの名前またはそのウィンドウの名前を識別するための情報、あるいは、ウィンドウに表示するデータを納めたファイルの拡張子またはその拡張子を識別するための情報などを用途属性として使用することができる。
【００３４】
ただし、個々のウィンドウの実際の名前は固有の名称ではない。そのウィンドウの呼び出し元アプリケーション（そのウィンドウを作成するウィンドウ）によってその都度付与される単なるコード情報（ウィンドウがオープンされている間だけ有効となるウィンドウＩＤやインスタンスハンドル）に過ぎない。
【００３５】
このため、ウィンドウの名前を用途属性として利用する際には、ウィンドウの名前それ自体（ウィンドウＩＤやインスタンスハンドル）を直接利用するのではなく、たとえば、そのウィンドウの呼び出し元アプリケーションの名前またはそのアプリケーションの名前を識別するための情報を、ウィンドウの名前またはそのウィンドウの名前を識別するための情報の代わりに用いるなどの工夫が必要である。ちなみに、ウィンドウの呼び出し元アプリケーションの名前は、そのウィンドウに渡された親ウィンドウ（呼び出し元アプリケーションのウィンドウ）のハンドル（ｈＷｎｄ）を手がかりにして取得することができる。
【００３６】
図４は、プロジェクタ８の簡略ブロック図である。プロジェクタ８は、位置制御部１５、スケーラ部１６、画質制御部１７、画質補正データテーブル１８、画質変換部１９、表示制御部２０、光源２１、表示素子２２及び投影光学系２３などを備える。
【００３７】
位置制御部１５は、コンピュータ１から送られてくる表示対象ウィンドウの大きさ（サイズ：ＳＸ１，ＳＹ１）と、あらかじめ与えられているプロジェクタ８の投影サイズとに基づいて、コンピュータ１から送られてくる表示対象ウィンドウの画像のスケーリング率（拡大率または縮小率）を計算する。スケーラ部１６は、そのスケーリング率を用いて、コンピュータ１から送られてくる表示対象ウィンドウの画像をスケーリング処理する。
【００３８】
画質制御部１７は、コンピュータ１から送られてくる表示対象ウィンドウの用途属性に基づき、画質補正データテーブル１８を参照して、この画質補正データテーブル１８から適切な画質補正データをルックアップする。画質変換部１９は、ルックアップされた画質補正データに基づいて、スケーリング処理後の画像の画質（コントラスト、明度、色相、色空間、彩度等）を補正する。
【００３９】
表示制御部２０は、スケーリング処理と画質補正が施された画像の画素単位に表示素子２２を駆動する。表示素子２２は、たとえば、ＤＭＤ（デジタルマイクロミラーデバイス）や液晶パネルなどの光変調デバイスであり、光源２１からの高輝度白色光を、表示制御部２０からの画素情報で変調する。投影光学系２３は、１枚乃至複数枚の光学レンズで構成されており、表示素子２２からの変調光をスクリーン１０に拡大投影する。なお、本実施形態のプロジェクタ８は、当然ながらカラー画像対応であり、表示素子２２は、表示制御部２０から送られてくる色分解画像（１枚のカラー画像を光の三原色に分解した画像）の各々で時分割駆動されるようになっている。そして、表示素子２２がＤＭＤで構成されている場合には、光源２１と表示素子２２の間に設けられた不図示のカラーフィルタを、上記の時分割駆動のタイミングに同期させて回転させることにより、光源２１からの高輝度白色光を色分解して、その各色光を表示素子２２に順次に照射し、または、表示素子２２が液晶パネルで構成されている場合には、液晶パネル前面のカラーフィルタを用いて色分解する。
【００４０】
図５は、画質補正データテーブル１８の構造図である。この図において、画質補正データテーブル１８は、用途属性フィールド１８ａと画質補正データフィールド１８ｂとを備え、さらに、画質補正データフィールド１８ｂは、コントラストフィールド１８ｃ、明度フィールド１８ｄ、色相フィールド１８ｅ、色空間フィールド１８ｆ及び彩度フィールド１８ｇを備えている。
【００４１】
用途属性フィールド１８ａには、パーソナルコンピュータ１からプロジェクタ８に送られてくる可能性がある代表的な用途属性が格納されている。たとえば、図示の例では、第１レコードに“プレゼンテーション”、第２レコードに“写真”、第３レコードに“モノクロ”、第４レコードに“高彩度”、第５レコードに“セピア”などといった用途属性が格納されている。“プレゼンテーション”はプレゼンテーション用アプリケーションプログラムで作成されたドキュメントを意味し、例えば、プレゼンテーション用アプリケーションプログラムの名前またはその名前を識別するための情報、あるいは、そのプレゼンテーション用アプリケーションプログラムのファイル拡張子またはその拡張子を識別するための情報である。また、“写真”は画像閲覧用アプリケーションプログラムで作成されたドキュメントを意味し、例えば、画像閲覧用アプリケーションプログラムの名前またはその名前を識別するための情報、あるいは、その画像閲覧用アプリケーションプログラムのファイル拡張子またはその拡張子を識別するための情報である。さらに、“モノクロ”や“高彩度”または“セピア”などは、同じ画像閲覧用アプリケーションプログラムで作成されたドキュメントのうち特殊な画質若しくは加工が施されたキュメントを意味し、例えば、画像閲覧用アプリケーションプログラムの名前またはその名前を識別するための情報に所定の加工情報を付加したもの、あるいは、その画像閲覧用アプリケーションプログラムのファイル拡張子またはその拡張子を識別するための情報に所定の加工情報を付加したものである。
【００４２】
画質補正データテーブル１８に格納されている様々なデータは、上記の用途属性ごとの適正な画質補正データである。たとえば、プレゼンテーションの場合は、コントラスト高め、明度高め、色相そのまま、色空間ノーマル、彩度高めに補正すると良好な画質が得られることが経験的に知られている。
【００４３】
同様に、写真の場合は、コントラストノーマル、明度ノーマル、色相そのまま、色空間ｓＲＧＢ、彩度ノーマルに補正すると良好な画質が得られることが経験的に知られており、モノクロの場合は、コントラスト高め、明度ノーマル、色相そのまま、色空間ノーマル、彩度０に補正すると良好な画質が得られることが経験的に知られており、高彩度の場合は、コントラスト高め、明度ノーマル、色相そのまま、色空間ノーマル、彩度高めに補正すると良好な画質が得られることが経験的に知られており、セピアの場合は、コントラスト低め、明度低め、色相赤方向、色空間ノーマル、彩度０に補正すると良好な画質が得られることが経験的に知られているので、これらの経験則に基づいた用途属性ごとの適切な画質補正データを画質補正データテーブル１８に格納しておけばよい。
【００４４】
なお、いうまでもなく、以上の用途属性や画質制御データは、説明上の一例に過ぎない。
【００４５】
図６は、パーソナルコンピュータ１で実行される「画像出力機能」の簡略フローチャートを示す図である。この図において、まず、表示対象のアクティブウィンドウが指定されているか否かを判定する（ステップＳ１１）。表示対象のアクティブウィンドウが指定されていない場合には、指定されるまで待機し、指定されている場合には、そのウィンドウのサイズと用途属性とを取得し（ステップＳ１２、ステップＳ１３）、取得したウィンドウのサイズと用途属性とをプロジェクタ８に出力（ステップＳ１４）するとともに、表示対象ウィンドウの画像をプロジェクタ８に出力（ステップＳ１５）した後、以上のステップＳ１１〜ステップＳ１５を繰り返し実行する。
【００４６】
図７は、プロジェクタ８で実行される「画像投影機能」の簡略フローチャートを示す図である。この図において、まず、パーソナルコンピュータ１からウィンドウサイズとウィンドウ用途属性が入力されたか否かを判定する（ステップＳ２１）。入力されていない場合には、入力されるまで待機し、入力されている場合には、そのウィンドウサイズとプロジェクタ８の表示サイズとから入力されたウィンドウのスケーリング率を計算する（ステップＳ２２）。次いで、入力されたウィンドウ用途属性に対応した画質補正データを、図５の画質補正データテーブル１８から取り出し（ステップＳ２３）、表示対象ウィンドウの画像（ウィンドウ表示データ）がパーソナルコンピュータ１から入力されるまで待機する（ステップＳ２４）。
【００４７】
そして、パーソナルコンピュータ１から表示対象ウィンドウの画像（表示データ）が入力されると、その表示データを、ステップＳ２２で計算したスケーリング率でスケーリングし（ステップＳ２５）、次いで、スケーリング後の表示データを、上記のステップＳ２３で取り出しておいた画質補正データで補正した後、補正後の表示データをスクリーン１０に拡大投影するという処理を繰り返し実行する。
【００４８】
以上のとおりであるから、本実施形態によれば次の効果を得ることができる。
（１）  パーソナルコンピュータ１の表示装置３の表示態様にかかわらず、特定のウィンドウ（アクティブのウィンドウＷ１）の画像のみをプロジェクタ８に出力し、プロジェクタ８でスケーリング処理してスクリーン１０に拡大投影することができる。したがって、表示装置３の不要な画像、たとえば、デスクトップ画面や非アクティブのウィンドウＷ２などを非表示にして、スクリーン１０の上で見えないようにすることができるので、たとえば、プレゼンテーションの効果を高めることができる。
【００４９】
（２）  加えて、パーソナルコンピュータ１からプロジェクタ８へ表示対象ウィンドウＷ１の用途属性を送るとともに、プロジェクタ８で、その用途属性に対応した画質補正データを用いて表示対象ウィンドウＷ１の画質を補正するようにしたので、たとえば、文字主体の画像（ワードプロセッサ用途等）の場合にはコントラストや明るさを強めに補正して見やすくすることができ、または、写真（画像閲覧用途等）の場合には彩度を高めるなどの補正を行って、これも見やすくすることができる。したがって、様々な用途のアプリケーション画像の各々に対応して適切な画質補正を行うことができ、プロジェクタ８の商品価値を高めることができる。
【００５０】
なお、本発明は、以上の実施形態に限定されず、その技術思想の範囲内において多様な変形例や発展例を包含することはもちろんである。
【００５１】
たとえば、図４の構成では、スケーリング処理後に画質変換を行っているが、逆にしても構わない。すなわち、スケーラ部１６と画質変換部１９の順番を入れ替えてもよい。
【００５２】
また、以上の実施形態では、プロジェクタ８を含むシステム構成を例にしたが、このプロジェクタ８の代わりに、液晶ディスプレイ、有機ディスプレイ、プラズマディスプレイまたはプロジェクタテレビなどの外部モニター装置を用いたシステム構成としてもよい。
【００５３】
また、以上の実施形態では、画質補正を行うための「用途属性」を、個々のウィンドウの用途種別（文章編集用、画像閲覧用、プレゼンテーション用、等々）を表す指標と定義しているが、この定義のうちの“用途”に特段の意味はない。要は、プロジェクタ８で画質補正を行う際のキーワードとなり得る属性であればよく、たとえば、ファイルの拡張子、ファイル内に埋め込まれているファイル種別情報などを「用途属性」に相当するものとして取り扱ってもよい。
【００５４】
図８〜図１０は、用途属性取得のバリエーションを示す図である。まず、図８を説明すると、このバリエーションは、パーソナルコンピュータ１の表示装置３に表示されたいくつかのウィンドウＷ１、Ｗ２のうち、プロジェクタ８に出力したい所望のウィンドウ（便宜的にウィンドウＷ１）を選択すると（ステップＳ３１）、その選択ウィンドウＷ１のアプリケーション（ウィンドウＷ１を作成したアプリケーション）の名前を取得し（ステップＳ３２）、次いで、取得したアプリケーション名を用途属性とするというものである（ステップＳ３３）。
【００５５】
また、図９を説明すると、このバリエーションは、パーソナルコンピュータ１上で任意のアプリケーションプログラム（例えば、文章作成用のアプリケーションプログラム）を実行すると（ステップＳ３４）、その実行したアプリケーションプログラムの名前を取得し（ステップＳ３５）、次いで、取得したアプリケーション名を用途属性とするというものである（ステップＳ３６）。
【００５６】
また、図１０を説明すると、このバリエーションは、パーソナルコンピュータ１上で任意のファイル（例えば、文章作成用のアプリケーションプログラムのファイル）をオープンすると（ステップＳ３７）、そのオープンしたファイルの拡張子を用途属性とするというものである（ステップＳ３８）。
【００５７】
このように、いずれのバリエーションにおいても、パーソナルコンピュータ１からプロジェクタ８へ個々のウィンドウの用途種別（文章編集用、画像閲覧用、プレゼンテーション用、等々）を出力することができ、用途種別に対応した画質補正を行うことができる。
【図面の簡単な説明】
【００５８】
【図１】本実施形態のシステム構成図である。
【図２】パーソナルコンピュータ１の表示装置３の画面構成図である。
【図３】パーソナルコンピュータ１の簡略ブロック図である。
【図４】プロジェクタ８の簡略ブロック図である。
【図５】画質補正データテーブル１８の構造図である。
【図６】パーソナルコンピュータ１で実行される「画像出力機能」の簡略フローチャートを示す図である。
【図７】プロジェクタ８で実行される「画像投影機能」の簡略フローチャートを示す図である。
【図８】用途属性取得のバリエーションを示す図（その１）である。
【図９】用途属性取得のバリエーションを示す図（その２）である。
【図１０】用途属性取得のバリエーションを示す図（その３）である。
【符号の説明】
【００５９】
Ｗ１  ウィンドウ（表示対象ウィンドウ）
１  パーソナルコンピュータ
８  プロジェクタ（表示制御装置）
１７  画質制御部（取り込み手段、取り出し手段）
１８  画質補正データテーブル（保持手段）
１９  画質変換部（補正手段）
２０  表示制御部（表示手段）
２２  表示素子（表示手段）
【図１】
2007041109.tif 000003
【図２】
2007041109.tif 000004
【図３】
2007041109.tif 000005
【図４】
2007041109.tif 000006
【図５】
2007041109.tif 000007
【図６】
2007041109.tif 000008
【図７】
2007041109.tif 000009
【図８】
2007041109.tif 000010
【図９】
2007041109.tif 000011
【図１０】
2007041109.tif 000012